(57)【要約】【課題】貯留室の前面側に投入口と排出口を設け，ゴミの紐状をスクリューに巻き込まないようにし、一定の回転方向のスクリューでゴミの貯留量を偏らないようにする。【解決手段】スクリュー型塵芥貯留機に羽根と軸によって１本のスクリューにし、可逆回転に切り替える条件を解決する。  第一に、スクリューの軸の後端を自由端部分にし、ゴミを後方向へ偏らずに投入する手段ができる。  第二に、軸の前端を片持部分にし、出入樋の前壁に軸受を設け、軸の前端を軸受に貫通し枢着するが、ゴミの紐状を巻き込まずに排出する手段ができる。【選択図】図１
2005104719.tif 000002
【特許請求の範囲】
【請求項１】
貯留室（１）の前面側に投入口（２）と排出口（３）を設け，貯留室（１）の下部に出入樋（４）を設け、
出入樋（４）の前上部に開いた投入室（５）を設け、投入室（５）の上端に投入口（２）を設け、投入口（２）の上に投入口蓋（６）を設け、
出入樋（４）の前下部へ開いた勾配に排出樋（７）を設け、排出樋（７）の前端に排出口（３）を設け、排出口（３）に上下に開閉する排出口蓋（８）を設け、
出入樋（４）の後部より貯留室（１）の後板（９）の上部へ、傾斜する勾配下板（１０）を設け、
羽根（１１）と軸（１２）によって１本のスクリュー（１３）を可逆回転に切り替え、軸（１２）の後端を自由端部分（１４）にし、軸（１２）の前端を片持部分（１５）にし、出入樋（４）の前壁（１６）に軸受（１７）を設け、軸（１２）の前端を軸受（１７）に貫通し枢着することを特徴とするスクリュー型塵芥貯留機。
【発明の詳細な説明】
【技術分野】
【０００１】  本発明は、スクリュー型塵芥貯留機に関するものである。
【背景技術】
【０００２】  従来のスクリュー型塵芥貯留機について、つぎのような特徴をもっている。
（イ）投入口と排出口を、貯留室と同じ前面側に設ける。貯留機を簡易な構造にし、経済      的な設置場所に小さくしている。
（ロ）１本の片持ちのスクリューを可逆回転に切り替える。投入口と排出口を両用にし、      スクリューを経済的な構造にしている。
（ハ）スクリューを可逆回転にするため、スクリューの片持ちの軸を貯留室の後壁に貫通      している。
【特許文献１】実用新案登録番号２５２２０５７号「塵芥貯留装置」
【特許文献２】特公昭５５−２５６６「塵芥貯留処理装置」
【発明の開示】
【発明が解決しようとする課題】
【０００３】  そのために、次のような問題点があった。
（イ）可逆回転のスクリューの軸を貯留室の後壁に貫通し、軸を軸受に枢着した場合、と      くに紐状のゴミを軸受との軸の隙間に挟めて巻き込み、回転不能にする。
（ロ）ゴミを投入口より貯留室の後方へ移送する場合、右巻きの羽根を左回転にすると、      ゴミを右方向に偏った状態に蓄積するので、平らになった満量を検知することがで      きない。
本発明は、これらの問題点を解決するためになされたものである。
【課題を解決するための手段】
【０００４】  スクリュー型塵芥貯留機に羽根と軸によって１本のスクリューを可逆回転に切り替える条件を解決する。第一に、スクリューの軸の後端を自由端部分にし、ゴミを後方向へ偏らずに投入する手段ができる。第二に、軸の前端を片持ち部分にし、出入樋の前壁に軸受を設け、軸の前端を軸受に貫通し枢着するが、ゴミの紐状を巻き込まずに排出する手段ができる。
（イ）貯留室の前面側に投入口と排出口に設け，貯留室の下部に出入樋を設ける。
（ロ）出入樋の前上部に開いた投入室を設け、投入室の上端に投入口を設け、投入口の上      に投入口蓋を設ける。
（ハ）出入樋の前下部へ開いた勾配に排出樋を設け、排出樋の前端に排出口を設け、排出      口に上下に開閉する排出口蓋を設ける。
（ニ）出入樋の後部より貯留室の後板の上部へ、傾斜する勾配下板を設ける。
（ホ）羽根と軸によって１本のスクリューを可逆回転に切り替え、軸の後端を自由端にし      、軸の前端を片持ちにし、出入樋の前壁に軸受を設け、軸の前端を軸受に貫通し枢      着する。
【発明の効果】
【０００５】  ゴミを投入する場合は、当初はスクリューの羽根の右巻きを左回転にするので、ゴミを右側へ送り蓄積する。その後スクリューの上部にゴミを覆うと、羽根の中にゴミを巻き込み、後方へ移送する。
スクリューの自由端より後板の後方へゴミを吐出し、貯留室の左側へ蓄積する。したがって最終的には後板の方へゴミを吐出するので、貯留室を左右へ偏ることはない。
ゴミを排出する場合は、スクリューより前方へゴミを移送する。
軸の前端を軸受に貫通するが、ゴミを軸受に巻き込むことはない。ゴミを排出樋の下部の勾配によってし、排出する。
したがって、スクリューの前端にゴミを巻き込むことはない。
したがって、ゴミの巻き込み量やゴミの偏在量の問題を解決し便益にすることができ、経済的な利益は大きくする。
【発明を実施するための最良の形態】
【０００６】  以下、本発明の実施の形態について実施例を説明する。図１に本発明の実施例のスクリュー型塵芥貯留機の側面図を示し、図２に正面図を示す。
貯留室（１）の前面側に投入口（２）と排出口（３）に設ける。貯留室（１）の下部に出入樋（４）を設ける。貯留室（１）の上部に後板（９）、前板（２０）及び左側板（２１）、右側板（２２）及び上板（２３）を設ける。
出入樋（４）の前上部に開いた投入室（５）を設ける。投入室（５）の上端に投入口（２）を設ける。投入口（２）の上に投入口蓋（６）を設ける。
出入樋（４）の前下部へ開いた勾配に排出樋（７）を設ける。排出樋（７）の前端に排出口（３）を設ける。排出口（３）に上下に開閉する排出口蓋（８）を設ける。
軸（１２）の横断面に対する羽根（１１）の外径に、下板（２４）、左側板（２５）及び右側板（２６）を囲った出入樋（４）を設ける。
出入樋（４）の後部より貯留室（１）の後板（９）の上部へ、傾斜する勾配下板（１０）を設ける。
羽根（１１）と軸（１２）によって１本のスクリュー（１３）を可逆回転に切り替え、軸（１２）の後端を自由端部分（１４）にし、軸（１２）の前端を片持部分（１５）にする。螺旋状の羽根（１１）を右巻きにし左回転にすると、スクリュー（１３）は後へ送り方向になる。
出入樋（４）の前壁（１６）に軸受（１７）を設ける。軸（１２）の前端を軸受（１７）に貫通し枢着する。さらに軸（１２）の前端をモーター（２７）に取付ける。貯留室（１）の上前方に満量検出器（２８）を取付ける。【０００７】  以上のような構成について次のように使用する。
ゴミを貯留室（１）より投入する場合は、まず排出口蓋（８）を閉鎖する。ついで投入口蓋（６）を開き、投入口（２）へゴミを投入する。スクリュー（１３）の右巻きを左回転にすると、スクリュー（１３）はゴミを後方へ送る方向にする。最初はゴミをスクリュー（１３）へ通過させ、排出樋（７）の下部に蓄積する。その後排出樋（７）の下部にゴミを滞留すると、スクリュー（１３）の後方向へゴミを移送する。
スクリュー（１３）の自由端部分（１４）より後方へゴミを吐出する。出入樋（４）の勾配下板（１０）より貯留室（１）の後板（９）へゴミを移送し上部へ貯留する。
貯留室（１）の前上方へゴミを貯留し満量にすると、満量検出器（２８）がゴミを検知しモーター（２７）を停止する。
ゴミを貯留室（１）より排出する場合は、まず投入口蓋（６）を閉鎖する。ついで排出口蓋（８）を開き、スクリュー（１３）の右巻きを右回転にすると、スクリュー（１３）はゴミを前方へ逆の方向に送る。貯留されたゴミをスクリュー（１３）へ落下し前へ移送し、勾配下板（１０）にしたがってスクリュー（１３）の自由端部分（１４）へ移送する。ゴミを排出樋（７）の下部へ通って排出口蓋（８）より排出する。
排出口（３）よりゴミを終了すると、再び排出口蓋（８）を閉鎖する。
【図面の簡単な説明】
【０００８】
【図１】本発明の実施例のスクリュー型塵芥貯留機の側面図を示す。
【図２】本発明の実施例のスクリュー型塵芥貯留機の正面図を示す。
【符号の説明】
【０００９】  １    貯留室
２    投入口
３    排出口
４    出入樋
５    投入室
６    投入口蓋
７    排出樋
８    排出口蓋
９    後板
１０    勾配下板
１１    羽根
１２    軸
１３    スクリュー
１４    自由端部分
１５    片持部分
１６    前壁
１７    軸受
【図１】
2005104719.tif 000003
【図２】
2005104719.tif 000004